(57)【要約】【課題】窃盗犯のバールなどによる扉のこじ開けに対しても、強固に対抗することができ、防犯性を高めることのできる錠の提供。【解決手段】取付柱２３、ネジパイプ２８、取付ネジ２６を備える。取付柱２３は、シリンダー３を保持するシリンダーケース６の扉取付面から突出して設けられる。ネジパイプ２８は、一端部が取付柱２３の先端部２３ｂにねじ込まれて固定される筒状である。取付ネジ２６は、サムターン４を保持するサムターン座２９を介して、ネジパイプ２８の他端部にねじ込まれる。錠ケース２を貫通して取付柱２３が設けられることで、錠ケース２３の両面にシリンダー３とサムターン４が保持される。ネジパイプ２８は、段付き円筒状であって、その大径穴２８ａを取付柱２３の先端部にねじ込まれる一方、その小径穴２８ｂに取付ネジ２６がねじ込まれる。【選択図】      図１
2005023559.tif 000002
【特許請求の範囲】
【請求項１】
シリンダーを保持するシリンダーケースの扉取付面から突出して設けられる軸状の取付柱と、
一端部が前記取付柱の先端部にねじ込まれて固定される筒状のネジパイプと、
サムターンを保持するサムターン座を介して、前記ネジパイプの他端部にねじ込まれる取付ネジと
を備えることを特徴とする錠。
【請求項２】
一側端面からデッドボルトを進退可能に収容する錠ケースをさらに備え、
この錠ケースを貫通して前記取付柱が設けられることで、錠ケースの両面にシリンダーとサムターンが保持され、
前記ネジパイプは、段付き円筒状であって、その大径穴を取付柱の先端部にねじ込まれる一方、その小径穴に前記取付ネジがねじ込まれる
ことを特徴とする請求項１に記載の錠。
【請求項３】
前記取付柱は、基端部に大径の頭部が形成される一方、先端部に前記ネジパイプがねじ込まれるネジ部が形成されており、
シリンダーケースの扉取付面と、その扉取付面に重ね合わされて設けられる止め板の間に、前記頭部が挟まれて保持されることで、取付柱の基端部が錠ケース側に突出して設けられ、
錠ケースに形成された取付柱挿通穴は、取付柱よりも大径で、ネジパイプの大径部より小径に形成されている
ことを特徴とする請求項２に記載の錠。
【発明の詳細な説明】
【０００１】
【発明の属する技術分野】
本発明は、扉面にシリンダーやサムターン等を強固に取り付け可能な錠に関するものである。
【０００２】
【従来の技術】
図１０は、従来の錠取付構造を示す横断面図である。この図に示すように、従来の錠は、扉Ａへの取付時に戸先側面となる一側面にデッドボルト（図示省略）を進退可能に設けられた錠ケースＢを備え、この錠ケースＢを挟んだ両面（扉への取付時に扉の表裏面に平行な面）にシリンダーＣとサムターンＤとが設けられる。この際、錠ケースＢを貫通して円筒パイプ状の取付柱Ｅ，Ｅが設けられ、この取付柱Ｅの一端部は、シリンダーＣのケースＣ１の扉取付面側の止め板Ｆに、かしめられて固定されている（Ｅ１）。そして、取付柱Ｅの他端部の開口部に、サムターンＤの座Ｄ１を介して取付ネジＧをねじ込むことで、シリンダーＣとサムターンＤ及び錠ケースＢとを扉に固定、即ち錠を扉に取り付けるものであった。
【０００３】
【発明が解決しようとする課題】
上述したように、従来の錠取付構造では、シリンダーケースＣ１に一端（後端部）が固定された円筒パイプ状の取付柱Ｅを扉Ａに挿通して錠ケースＢを貫通させ、その取付柱Ｅの他端（先端部）開口部に設けられたネジ穴にネジＧをねじ込んで取り付けるようにしている。そして、取付柱Ｅは、スペースの関係上、あまり太くできるものでもなく、比較的薄い肉厚の円筒状になっている。そのため、窃盗犯がシリンダーＣを扉から取り外そうとし、扉とシリンダーＣとの間をバールなどでこじて大きな力が作用した場合、取付柱Ｅが破断して、こじ開けられてしまうおそれがあった。
【０００４】
本発明の主たる目的は、扉に取り付けられた使用状態において、窃盗犯がバールなどで扉をこじ開けようとし大きな力が作用しても、強固に対抗できる錠取付構造が採用された錠を提供することにある。
【０００５】
【課題を解決するための手段】
本発明の錠は、下記構成要件（Ａ）から（Ｃ）を備えることを特徴とする。
（Ａ）シリンダーを保持するシリンダーケースの扉取付面から突出して設けられる軸状の取付柱。
（Ｂ）一端部が前記取付柱の先端部にねじ込まれて固定される筒状のネジパイプ。
（Ｃ）サムターンを保持するサムターン座を介して、前記ネジパイプの他端部にねじ込まれる取付ネジ。
【０００６】
また、本発明の錠は、好ましくは上記構成に加えて、一側端面からデッドボルトを進退可能に収容する錠ケースをさらに備え、この錠ケースを貫通して前記取付柱が設けられることで、錠ケースの両面にシリンダーとサムターンが保持され、前記ネジパイプは、段付き円筒状であって、その大径穴を取付柱の先端部にねじ込まれる一方、その小径穴に前記取付ネジがねじ込まれることを特徴とする。
【０００７】
本発明の錠は、更に好ましくは上記構成に加えて、前記取付柱は、基端部に大径の頭部が形成される一方、先端部に前記ネジパイプがねじ込まれるネジ部が形成されており、シリンダーケースの扉取付面と、その扉取付面に重ね合わされて設けられる止め板の間に、前記頭部が挟まれて保持されることで、取付柱の基端部が錠ケース側に突出して設けられ、錠ケースに形成された取付柱挿通穴は、取付柱よりも大径で、ネジパイプの大径部より小径に形成されていることを特徴とする。
【０００８】
【発明の実施の形態】
以下、本発明の錠の取付構造について、実施例に基づき更に詳細に説明する。
図１は、本発明の錠の取付構造の一実施例を示す図であり、（Ａ）は扉を水平方向に切断した状態の横断面図、（Ｂ）はそのａ−ａ断面図、（Ｃ）はそのｂ−ｂ断面図である。
【０００９】
この図に示すように、本実施例の錠１は、箱錠とされ、錠ケース２を挟んだ両面に、シリンダー３又はサムターン４が設けられている。シリンダー３に差し込まれるキー（図示せず）でその内筒を回転させ、或いはサムターン４を手で回転させることで、図示しないハブを回転させて、錠ケース２の戸先側端面からデッドボルト（図示せず）を進退させて施解錠することができる。なお、本実施例の錠１は、扉５の室外側面にシリンダー３を配置する一方、扉５の室内側面にサムターン４を配置して、扉５に取り付けられる。
【００１０】
シリンダー３は、その周側面をシリンダーケース６に取り囲まれ、そのシリンダーケース６が扉５の室外側面に保持される。図２は、シリンダーケース６を示す図であり、（Ａ）は室内側から見た図であり、（Ｂ）はそのｃ−ｃ断面図である。この図に示すように、シリンダーケース６は、取付板７、内ケース８、外ケース９、及びカバー１０を備える。図３は、取付板７を示す図であり、（Ａ）は室内側から見た図、（Ｂ）はそのｄ−ｄ断面図、（Ｃ）はｅ−ｅ断面図である。この図に示すように、取付板７は、円板状であり、その中央部にはシリンダー３が挿通される穴１１が形成されている。そして、その穴１１の周辺部には、後述する固定ネジ１２（図１（Ｃ）参照）がねじ込まれるネジ穴１３が形成されている。図３（Ａ）において、前記各ネジ穴１３より左右方向外側には、取付板７を内ケース８へ取り付けるためのネジ１４（図１（Ｃ）参照）が挿通される皿穴状のビス挿通穴１５が形成されている。
【００１１】
図４は、内ケース８を示す図であり、（Ａ）は室内側から見た図、（Ｂ）はそのｆ−ｆ断面図、（Ｃ）はｇ−ｇ断面図である。この図に示すように、内ケース８は、室内側に円板状のフランジ１６を備えた断面ハット形状とされている。そのフランジ１６には、上述した取付板７のビス挿通穴１５に対応して、四ヶ所にネジ穴１７が形成されている。従って、内ケース８は、そのフランジ１６が取付板７に重ね合わされて、取付板７の側からネジ１４がねじ込まれることで一体化される。
【００１２】
図５は、外ケース９を示す図であり、（Ａ）は室内側から見た図、（Ｂ）はそのｈ−ｈ断面図である。また、図６は、カバー１０を示す図であり、（Ａ）は室内側から見た図、（Ｂ）はそのｉ−ｉ断面図である。図５に示すように、外ケース９は、略円錐台形状の筒状に形成されている。この外ケース９は、内ケース８に被せられて設けられる。そして、以上のようにして設けられた取付板７、内ケース８及び外ケース９を取り囲むように、カバー１０が被せられて、その大径側開口端部１１ａが径方向内側へ屈曲されることで一体化される。
【００１３】
このようにして設けられるシリンダーケース６の中央穴１８（内ケース８の筒状部内径，取付板７の穴１１）には、シリンダー３が配置される。シリンダー３は、鍵穴がシリンダーケース６の小径側開口部１９に配置された状態で、扉取付面となる大径側開口部に設けられる止め板２０により、シリンダーケース６に保持される。
【００１４】
図７は、止め板２０を示す図であり、（Ａ）は室内側から見た図、（Ｂ）はそのｊ−ｊ断面図、（ｃ）はｋ−ｋ断面図である。止め板２０は、中央部に穴２１が形成された円板状とされ、図７（Ａ）において、その穴２１を挟んだ左右両側に、断面略コ字形状に室内側に突出して隆起部２２，２２が形成されている。この左右の隆起部２２には、後述する取付柱２３が挿通される貫通穴２４が形成されている。また、隆起部２２を挟んだ上下の板状部２５，２５には、それぞれ左右に二つずつ、固定ネジ１２（図１参照）の挿通穴２７が形成されている。
【００１５】
上記止め板２０は、シリンダーケース６の室内側面に重ね合わされて固定される。そのためには、固定ネジ１２を止め板２０の挿通穴２７を通して、取付板７のネジ穴１３にねじ込めばよい。その際、止め板２０の隆起部２２に形成した貫通穴２４に、次に述べる取付柱２３を挿通しておき、止め板２０の隆起部２２と取付板７との間で、取付柱２３の頭部２３ａを挟んで保持する。
【００１６】
図８は、取付柱２３を示す図であり、（Ａ）は正面断面図、（Ｂ）は左側面図である。この図に示すように、取付柱２３は、断面円形の中実の軸に形成されており、その一端部には四角形状の頭部２３ａが形成されている。また、軸部の先端側外周面にはネジ部２３ｂが形成されている。取付柱２３の頭部２３ａを四角形にしておくことで、止め板２０の隆起部２２と取付板７との空間に、その頭部２３ａを保持した状態では、取付柱２３の回転が阻止される。このようにして、図１（Ａ）に示すように、シリンダーケース６の左右二箇所に、シリンダーケース６の扉取付面（取付板７）に対して垂直に、それぞれ取付柱２３，２３が固定されることになる。
【００１７】
シリンダーケース６に取付柱２３を設けた後、その取付柱２３を扉５の内外を貫通させるように扉５に挿通する。扉５の戸先側の上下方向所望箇所には、扉５の厚さ方向中央部に錠ケース２が設けられているので、その錠ケース２を貫通させて取付柱２３を挿通する。なお、前述したように、錠ケース２の戸先側端面にはデッドボルトが設けられ、そのデッドボルトはシリンダー３又はサムターン４の操作により進退可能とされる。そのために、錠ケース２には、図示しないがシリンダー３又はサムターン４の操作に基づいてデッドボルトを進退させるための機構が設けられている。図１（Ａ）に示すように、錠ケース２には、その厚さ方向に貫通して、シリンダー３又はサムターン４の操作軸３ａ，４ａが挿入される穴が形成されているが、その穴を挟んだ両側に取付柱２３，２３が挿通される穴が形成されている。
【００１８】
このようにして錠ケース２に貫通された取付柱２３の先端側ネジ部２３ｂには、ネジパイプ２８がねじ込まれて固定される。図９は、取付柱２３にネジパイプ２８がねじ込まれ、そのネジパイプ２８に取付ネジ２６をねじ込んだ状態を示す図であり、一部を断面にして示している。この図に示すように、ネジパイプ２８は、段付きの円筒形状に形成されており、大径部２８ａ及び小径部２８ｂの各内穴はネジ穴が形成されている。そして、その大径部２８ａのネジ穴を取付柱２３のネジ部２３ｂにねじ込んで取り付けられる。
【００１９】
ネジパイプ２８の小径部２８ｂのネジ穴には、サムターン４を取り付けるための取付ネジ２６がねじ込まれる。図示例のサムターン４は、円錐台形状のサムターン座２９を備え、その中央部にはサムターン４が通され、そのサムターン軸４ａの先端部は、錠ケース２へ挿入される。そして、カバーがされたサムターン座２９には、図１（Ａ）において、サムターン軸４ａを挟んだ左右両側に、取付ネジ２６の挿通穴が形成されている。従って、サムターン座２９の室内側端面から取付ネジ２６をサムターン座２９を介して挿入して、ネジパイプ２８の小径部２８ｂのネジ穴にねじ込むことができる。これにより、シリンダーケース６及びサムターン座２９が取付柱２３を介して連結され、相互に一体化されて扉５に固定される。
【００２０】
以上に述べたように、上記実施例の構成によれば、軸状の取付柱２３を室外側から室内側へ錠ケース２へ差し込み、室内側からネジパイプ２８を錠ケース２に当たるまで指でねじ込み、その後、サムターン座２９を取付ネジ２６で取り付けるものである。従って、従前のようなかしめ作業などが不要で、簡易に組み立てることができる。また、取付柱２３は、かしめではなく頭部２３ａを形成して、シリンダー３側に保持したので、止め板２０から抜けにくくなり、従来のかしめ等に比べ保持力は著しく大きくなるので、バールなどによる扉のこじ開け等に対して耐えるので防犯性が高まる。
【００２１】
また、本実施例の錠によれば、取付柱２３が中実の軸状であるから、扉５へ取り付けた使用状態において、扉５の施錠時であるのに窃盗犯が扉５をバールなどでこじ開けようとしても、従来の筒状の取付柱２３よりも破断しにくく、防犯性が高まる。
【００２２】
また、錠ケース２に形成した取付柱挿通穴は、取付柱２３の軸部の外径よりも僅かに大径であるが、ネジパイプ２８の大径部２８ａよりも小径に形成されている。しかも図示例では、扉５への取付状態では、ネジパイプ２８の大径側の端面が、錠ケース２に当接される。従って、扉５へ取り付けた使用状態において、扉５の施錠時であるのに窃盗犯が扉５をバールなどでこじ開けようとした場合には、ネジパイプ２８が錠ケース２を潰すことになり、デッドボルトの錠ケース２側への後退、即ち解錠が不能となり、不正解錠されることなく防犯上好ましい。
【００２３】
なお、本発明の錠は、上記実施例の構成に限らず適宜変更可能である。例えば、典型的なシリンダーの錠に限らず、ディンプルシリンダーの錠などにも対応可能である。また、上記実施例の取付柱は、シリンダーに限定されることなく、錠取付用の長座や、ハンドル取付用の丸座などにも実施できる。その他、上記実施例の錠ケースには、レバーハンドル又はノブや、ラッチなどが付いていてもよいのは勿論である。さらに、本発明の構造は、箱錠以外にも適用可能で、シリンダーとサムターンを扉を介した両面に用いる場合にも適用できる。
【００２４】
【発明の効果】
本発明の構造によれば、窃盗犯のバールなどによる扉のこじ開けに対しても、強固に対抗することができ、防犯性を高めることができる。
【図面の簡単な説明】
【図１】本発明の錠の取付構造の一実施例を示す図であり、（Ａ）は扉を水平方向に切断した状態の横断面図、（Ｂ）はそのａ−ａ断面図、（Ｃ）はそのｂ−ｂ断面図である。
【図２】シリンダーケースを示す図であり、（Ａ）は室内側から見た図であり、（Ｂ）はｃ−ｃ断面図である。
【図３】取付板を示す図であり、（Ａ）は室内側から見た図、（Ｂ）はそのｄ−ｄ断面図、（Ｃ）はｅ−ｅ断面図である。
【図４】内ケースを示す図であり、（Ａ）は室内側から見た図、（Ｂ）はそのｆ−ｆ断面図、（Ｃ）はｇ−ｇ断面図である。
【図５】外ケースを示す図であり、（Ａ）は室内側から見た図、（Ｂ）はそのｈ−ｈ断面図である。
【図６】カバーを示す図であり、（Ａ）は室内側から見た図、（Ｂ）はそのｉ−ｉ断面図である。
【図７】止め板を示す図であり、（Ａ）は室内側から見た図、（Ｂ）はｊ−ｊ断面図、（ｃ）はｋ−ｋ断面図である。
【図８】取付柱を示す図であり、（Ａ）は正面断面図、（Ｂ）は左側面図である。
【図９】取付柱にネジパイプが設けられ、そのネジパイプに取付ネジを取り付けた状態を示す図であり、一部を断面にして示している。
【図１０】従来の錠取付構造を示す横断面図である。
【符号の説明】
１  錠
２  錠ケース
３  シリンダー
４  サムターン
５  扉
６  シリンダーケース
２０  止め板
２３  取付柱
２３ａ  頭部
２３ｂ  ネジ部
２６  取付ネジ
２８  ネジパイプ
２８ａ  大径部（大径穴）
２８ｂ  小径部（小径穴）
２９  サムターン座
【図１】
2005023559.tif 000003
【図２】
2005023559.tif 000004
【図３】
2005023559.tif 000005
【図４】
2005023559.tif 000006
【図５】
2005023559.tif 000007
【図６】
2005023559.tif 000008
【図７】
2005023559.tif 000009
【図８】
2005023559.tif 000010
【図９】
2005023559.tif 000011
【図１０】
2005023559.tif 000012